(57)【要約】【課題】受信帯域中全てにおいて信号が乗るとは限らないため、受信帯域中の平均値をとってその平均値をターゲットレベルに上げるようにゲインを設定すると、ゲイン調整がうまく行かなくなるのを防ぐ。【解決手段】無線基地局は、ゲインを算出する際に、受信帯域の１周期分のサンプリング点中において、実際に信号がのっているかを検出し、実際に信号が乗っていたサンプリング点の、受信帯域に対する比率を算出する。そしてターゲットレベルを、１周期分の受信信号の受信帯域中の信号の平均値に、当該比率の逆数をかけて得られる値で除した値をゲインとして増幅器１０１に設定する。【選択図】図１
2010034929.tif 000002
【特許請求の範囲】
【請求項１】
受信信号の受信レベルを所望のレベルに設定する無線基地局であって、
所望の周波数帯域の受信信号を受信する受信手段と、
受信信号中で信号レベルが所定の閾値以上となる第１信号の前記周波数帯域に対する比率を検出する第１検出手段と、
前記比率に基づいて前記受信手段で受信した受信信号にかけるゲインを算出するゲイン算出手段とを備える
ことを特徴とする無線基地局。
【請求項２】
前記無線基地局は、更に、
前記第１信号のうち、その信号レベルが第２の所定の閾値よりも低い信号レベルを有する第２信号の前記第１信号に対する比率を検出する第２検出手段を備え、
前記ゲイン算出手段は、前記第２検出手段が検出した比率と前記第１検出手段が検出した比率とに基づいて前記ゲインを算出する
ことを特徴とする請求項１記載の無線基地局。
【請求項３】
前記ゲイン算出手段は、
前記所望のレベルを、前記周波数帯域の受信信号の受信レベルの平均値に前記第１検出手段が検出した比率の逆数をかけた値で除した値を前記ゲインとして設定する
ことを特徴とする請求項１記載の無線基地局。
【請求項４】
前記ゲイン算出手段は、
前記所望のレベルを、前記第１検出手段が検出した比率に、前記第２手段が検出した比率をかけた第２乗数の逆数を、前記周波数帯域における信号の平均値にかけた値で除した値を前記ゲインとして算出する
ことを特徴とする請求項２記載の無線基地局。
【請求項５】
前記無線基地局は、更に、
前記ゲイン算出手段で算出されたゲインを受信信号にかけて信号レベルをフィードバック制御により調整するゲイン調整手段と、
前記ゲイン調整手段により信号レベルを調整された受信信号を復調する復調手段とを備える
ことを特徴とする請求項１記載の無線基地局。
【発明の詳細な説明】
【技術分野】
【０００１】
本発明は、無線基地局に関し、特に受信信号の増幅に係るゲイン制御に関する。
【背景技術】
【０００２】
従来から無線基地局など、無線信号を受信する装置において、受信した信号の受信レベルを、所望のレベルとするために増幅器によるゲイン調整がなされている。
一般的には、ゲイン調整では、受信した信号の帯域にある信号の平均値が所望のレベルになるようにゲイン調整がなされる。しかし、これだと、受信した信号に信号レベルの高い妨害波がのっていた場合（図５（ａ）参照）には、受信帯域における信号全体の平均値が高くなることによって増幅率が低下してしまうために、所望波のレベルがターゲットレベルにまで増幅されず、正しくゲイン調整ができているとはいえなかった（図５（ｂ）参照）。なお、図５において斜線部分が所望波を表しており、黒塗り部分が妨害波を表している。
【０００３】
そこで、特許文献１では、ターゲットレベル以上の受信レベルを有する信号については、妨害波であると特定し、当該妨害波を除いてから、受信帯域における信号全体の受信レベルの平均値を算出し、当該平均値をターゲットレベルになるようにゲインを決定している。よって、従来よりも適切にゲインを算出して所望波をターゲットレベルに増幅することができている（図５（ｃ）参照）。
【特許文献１】特開２００３−２１９３１３号公報
【発明の開示】
【発明が解決しようとする課題】
【０００４】
しかし、特許文献１に示す手法や一般的なゲイン制御では、以下のような問題が発生する。それは受信信号の所望帯域の全帯域に所望の信号がない場合である。図６（ａ）に受信帯域Ｗ中に所望波が帯域Ｗｅ分だけしか載っていなかった場合の信号の概念図を示した。
従来の手法に従えば、所望波のある帯域はＷｅ分しかないにも関わらず受信帯域における受信レベルＨｅの合計を受信帯域Ｗで割って平均値を算出し、その平均値をターゲットレベルＬにするようゲインを設定することになるので、図６（ｂ）に示すように、ゲインをかけた後の所望波のレベルはオーバーレンジになってしまう。ゲイン調整された信号は直交復調されるが、直交復調する際に適切なレベルの範囲が予め定められており、オーバーレンジになっていると、不要なノイズを発生させる一因となってしまう。
【０００５】
また、特許文献１の場合にしても、図６（ａ）に示すような信号を受信した場合には、従来と同様にゲインを算出して増幅してしまうため、図６（ｃ）に示すように、ゲインをかけた後の所望波のレベルはオーバーレンジになってしまう。
上述のように特許文献１にせよ、従来の手法にせよ、妨害波を除去するか否かの違いはあるものの、受信信号の所望帯域の全体帯域の信号の受信レベルの平均値を所望のレベルにするためのゲインを算出している。
【０００６】
よって、所望帯域の全帯域に信号がなかった場合には、受信信号の受信レベルの平均値は低くなってしまうことから、受信した信号のうち、信号がある部分については、無駄に多く増幅されてしまうことになる。
そこで、本発明は、上記問題を鑑みてなされたものであり、所望の受信帯域の全体域にわたって信号がなくとも、適切にゲインを算出することができる無線基地局を提供することを目的とする。
【課題を解決するための手段】
【０００７】
上記課題を解決するため、本発明は、受信信号の受信レベルを所望のレベルに設定する無線基地局であって、所望の周波数帯域の受信信号を受信する受信手段と、受信信号中で信号レベルが所定の閾値以上となる第１信号の前記周波数帯域に対する比率を検出する第１検出手段と、前記比率に基づいて前記受信手段で受信した受信信号にかけるゲインを算出するゲイン算出手段とを備えることを特徴としている。
【発明の効果】
【０００８】
上述のような構成によって、受信した信号の所望帯域中であって、実際に信号がある比率に基づいてゲインを算出できるので、所望帯域の全帯域中に信号がない場合であっても、適切にゲインを算出して所望の信号を所望のレベルに増幅することができる。
【発明を実施するための最良の形態】
【０００９】
以下、本発明の一実施形態である無線基地局について図面を用いて説明する。
＜実施の形態１＞
＜構成＞
図１は、本発明に係る無線基地局１００の受信回路の一部の機能構成を示した機能ブロック図である。なお、本実施の形態においては、無線基地局における受信信号に対するゲインコントロールの説明に主をおき、その他の無線基地局が通常有する機能、例えば無線送信機能や受信した信号の上位層における信号処理などについては、その説明を省略する。
【００１０】
図１に示すように無線基地局１００は、増幅器１０１と、ＡＤＣ（Analog Digital Converter）１０２と、直交復調部１０３と、ＦＩＬ（Filter）１０４と、ＦＦＴ（Fast Fourier Transfer）１０５と、ゲイン調整部１１０とを含んで構成される。
増幅器１０１は、ゲイン調整部１１０により設定されたゲインで、入力された信号を増幅する機能を有する。ここで増幅器１０１に入力される信号は、アンテナを介して受信された信号をアナログフィルタでフィルタリングが実行された信号である。
【００１１】
ＡＤＣ１０２は、増幅器１０１で増幅された信号をデジタル変換する機能を有する。
直交復調部１０３は、ＡＤＣ１０２でデジタル変換された信号を直交復調する機能を有する。
ＦＩＬ１０４は、直交復調された信号に対して、隣接チャネルの帯域の信号をデジタルフィルタリングにより除去する機能を有する。フィルタリング後のデータの個数は、１周期のキャリア数個分のデータとなる。例えば、１０ＭＨｚ分、つまり１周期内のサンプリング数として１０２４個（ガードインターバルを含むと１１５２個）のデータとなる。
【００１２】
ＦＦＴ１０５は、ＦＩＬ１０４から出力された信号に高速フーリエ変換をかけて、時間軸成分の信号を周波数成分の信号に変換して出力する機能を有する。
ゲイン調整部１１０は、振幅算出部１１１と、合計値算出部１１２と、帯域抽出部１１３と、帯域占有率算出部１１４と、逆数算出部１１５と、乗算器１１６と、ゲイン設定部１１７とを含んで構成される。
【００１３】
振幅算出部１１１は、受信した信号の所望帯域内の１周期におけるキャリア数個のデータそれぞれの振幅（デシベル値）を算出する機能を有する。
合計値算出部１１２は、算出された振幅の合計値を算出する機能を有する。
帯域抽出部１１３は、所望帯域中において所定の閾値以上の信号レベルを有する信号を検出し、帯域占有率算出部１１４に伝達する機能を有する。ここで所定の閾値は、信号があることを検出するために必要な最低限の信号レベルであればよい。
【００１４】
帯域占有率算出部１１４は、前記帯域抽出部１１３により抽出された閾値以上の信号の、所望の帯域中における比率を算出する機能を有する。
逆数算出部１１５は、帯域占有率算出部１１４により算出された所望帯域中に実際に信号があった比率の逆数を算出する機能を有する。
乗算器１１６は、合計値算出部１１２が算出した合計値に、逆数算出部１１５が算出した逆数をかける機能を有する。
【００１５】
ゲイン設定部１１７は、ターゲットレベルＬを、乗算器１１６から出力されてきた値を受信帯域Ｗで除した値で、除した値をゲインとして、増幅器１０１に設定する機能を有する。
＜動作＞
ここに、ゲイン調整部１１０がゲインを設定するまでの流れを示す。ＦＩＬ１０４により隣接周波数帯域の信号が除去された直交信号から、帯域のキャリア数分の各データの振幅を振幅値算出部１１１が算出し、算出された振幅値の合計値を合計値算出部１１２が算出する。
【００１６】
一方、ＦＩＬ１０４により隣接周波数帯域の信号が除去された直行信号を受けて、ＦＦＴ部１０５は、高速フーリエ変換により、周波数軸信号に変換する。出力された周波数軸信号は、後段で復調部（図示せず）により復調される。
また、周波数軸信号は、帯域抽出部１１３にも出力される。帯域抽出部１１３は、受信した周波数軸信号に対して実際に信号がある箇所を所定の閾値以上の信号レベルを有するか否かによって検出する。帯域占有率算出部１１４は、帯域Ｗ中の所望波が存在する比率を算出する。つまり帯域占有率算出部１１４は、キャリア数個のサンプリング点のうち、いくつのサンプリング点が所定の閾値以上となるかを算出する。ここで算出される比率は、図２（ａ）を参照するとＷｅ／Ｗとなる。
【００１７】
逆数算出部１１５は、帯域占有率算出部１１４が算出した比率の逆数をとり、算出した逆数（Ｗ／Ｗｅ）を乗算器１１６に出力する。
乗算器１１６は、合計値算出部１１２から出力された合計値（Ｗｅ×Ｈｅ）に逆数算出部１１５から出力された逆数をかけた値（Ｗｅ×Ｈｅ×Ｗ／Ｗｅ＝Ｈｅ×Ｗ）をゲイン設定部１１７に出力する。
【００１８】
ゲイン設定部１１７は、増幅器１０１に、ターゲットレベルＬを、乗算器１１６から出力された値（Ｈｅ×Ｗ）を受信帯域Ｗで除した値（Ｈｅ）で除した値（Ｌ／Ｈｅ）をゲインとして設定する。
これにより、無線基地局１００は、ターゲットレベルに達しておらず、全受信帯域Ｗ中すべてに所望波がのっていない図２（ａ）に示すような信号を受信した場合であっても、図２（ｂ）に示すように適切なターゲットレベルに信号レベルを増幅できる。
＜考察＞
ここで上記実施の形態１に示した方法を用いてのゲイン調整が正しくなされていることを図２及び図５を用いて説明する。
【００１９】
まず従来どおりの一般的なゲイン設定を行う場合を説明する。図５（ａ）で妨害波（黒塗り部分）がない場合を想定すると、そのゲイン値Ｇは、帯域Ｗ中の所望波（斜線部分）の信号の合計値ΣＨｅ（＝Ｈｅ×Ｗ）の平均がターゲットレベルＬとなるように設定するので、所望波のレベルをＨｅとして、Ｇ＝（Ｌ×Ｗ）／（Ｈｅ×Ｗ）＝Ｌ／Ｈｅとなる。ＨｅにＧをかけることでターゲットレベルＬにすることができる。実際には、ゲインＧは、ターゲットレベルＬを受信帯域における信号の平均値で除したものである。
【００２０】
一方、図２（ａ）に示すように、帯域Ｗ中に所望波がＷｅの帯域にしかなかった場合に、従来や特許文献１の手法を用いるとゲインがどうなるのかを算出する。この場合のゲインＧｆは、Ｇｆ＝Ｌ／｛（Ｈｅ×Ｗｅ）／Ｗ｝＝（Ｌ×Ｗ）／（Ｈｅ×Ｗｅ）となる。つまり、この場合に所望波のレベルＨｅにゲインＧｆをかけた場合、ゲインをかけた後のレベルをＨｆとすると、Ｈｆ＝Ｈｅ×Ｇｆ＝Ｌ×Ｗ／Ｗｅとなる。ＷｅはＷよりも小さいため、Ｗ／Ｗｅ＞１となり、ＨｆはターゲットレベルＬを超えることとなる（図６（ｂ）参照）。
【００２１】
しかし、本発明において、ゲインＧｇを算出するにあたり、平均値に帯域占有率Ｒｇの逆数をかけることで、所望波のレベルＨｅをＬにすることができる。本実施の形態１の場合のゲインをＧｇとすると、Ｇｇ＝Ｌ／｛（Ｈｅ×Ｗｅ）／Ｗ｝／Ｒｇとなる。Ｒｇ＝Ｗｅ／Ｗなので、Ｇｇ＝（Ｌ×Ｗ）／｛（Ｈｅ×Ｗｅ）×１／Ｒｇ｝＝（Ｌ×Ｗ）／｛（Ｈｅ×Ｗｅ）×Ｗ／Ｗｅ｝＝（Ｌ×Ｗ）／（Ｈｅ×Ｗ）＝Ｌ／Ｈｅである。このゲインを所望波のレベルＨｅにかけた場合のレベルをＨｇとすると、Ｈｇ＝Ｈｅ×Ｇｇ＝Ｈｅ×Ｌ／Ｈｅ＝Ｌとなり、ターゲットレベルＬになっていることがわかる（図２（ｂ）参照）。
【００２２】
以上の説明からわかるように、本発明においては、１周期のサンプリング点中で実際に信号がある比率を、ゲインを算出する際に考慮しているので、ゲインをかけたあとの信号レベルがオーバーレンジになることがない。
＜実施の形態２＞
上記実施の形態１においては、妨害波がない場合を念頭に説明した。しかし、実際には妨害波がのる可能性は否めないので、本実施の形態においては、妨害波がある場合にも対応して、正しくゲインを算出することを示す。
＜構成＞
図３は、実施の形態２に係る無線基地局２００の受信回路の一部の機能構成を示した機能ブロック図である。
【００２３】
図３に示すように実施の形態２に係る無線基地局２００は、増幅器１０１と、ＡＤＣ１０２と、直交復調部１０３と、ＦＩＬ１０４と、ＦＦＴ１０５と、ゲイン調整部２１０とを含んで構成される。実施の形態１と同様の機能を有する機能部については、同じ名称と符号をふってある。それらの機能部については、実施の形態１と同様であるとして、ここではその説明を一部割愛する。なお、増幅器１０１は、ここでは、ゲイン調整部２１０のゲイン設定部１１７によりゲインが設定される。
【００２４】
実施の形態２と実施の形態１との差異はゲイン調整部２１０にある。
図３に示すように、ゲイン調整部２１０は、振幅算出部１１１と、合計値算出部１１２と、帯域抽出部１１３と、帯域占有率算出部１１４と、逆数算出部１１５と、乗算器１１６と、ゲイン設定部１１７と、振幅情報検知部２０１と、比算出部２０２と、乗算器２０３とを含んで構成される。
【００２５】
振幅算出部１１１は、受信した信号の所望帯域内の振幅を算出する機能を有する。
合計値算出部１１２は、算出された振幅の合計値を算出する機能を有する。
帯域抽出部１１３は、所望帯域中において所定の閾値以上の信号レベルを有する信号を検出し、帯域占有率算出部１１４に伝達する機能を有する。
帯域占有率算出部１１４は、前記帯域抽出部１１３により抽出された閾値以上の信号の、所望の帯域中における比率を算出する機能を有する。
【００２６】
振幅情報検知部２０１は、キャリア数個のサンプリング点の振幅値のうち、上述の閾値以上の受信レベルを有する信号であって、その平均値よりも低い振幅値を有するサンプリング点を検知する機能を有する。
比算出部２０２は、受信信号中の所望波の実際の比率、つまり、振幅情報検知部２０１が検知したサンプリング点の、キャリア数個のサンプリング点の振幅値のうち所定の閾値以上の信号を有するサンプリング点に対する比率を算出して出力する機能を有する。
【００２７】
乗算器２０３は、帯域占有率算出部１１４が算出した比率に、比算出部２０２が算出した比率をかけて出力する機能を有する。
逆数算出部１１５は、乗算器２０３から出力された比率の逆数を算出する機能を有する。
乗算器１１６は、合計値算出部１１２が算出した合計値に、逆数算出部１１５が算出した逆数をかける機能を有する。
【００２８】
ゲイン設定部１１７は、増幅器１０１に、ターゲットレベルＬを、乗算器１１６から出力されてきた値を受信帯域Ｗで除した値で、除した値をゲインとして、増幅器１０１に設定する機能を有する。
＜動作＞
ここに、ゲイン調整部２１０がゲインを設定するまでの流れを示す。ＦＩＬ１０４により隣接周波数帯域の信号が除去された直交信号から、キャリア数個分の各データの振幅を振幅値算出部１１１が算出し、算出された振幅値の合計値を合計値算出部１１２が算出する。
【００２９】
一方、ＦＩＬ１０４により隣接周波数帯域の信号が除去された直行信号を受けて、ＦＦＴ部１０５は、高速フーリエ変換により、周波数軸信号に変換する。出力された周波数軸信号は、後段で復調部（図示せず）により復調される。
また、周波数軸信号は、帯域抽出部１１３にも出力される。帯域抽出部１１３は、受信した周波数軸信号に対して実際に信号がある箇所を所定の閾値以上の信号レベルを有するか否かによって検出する。
【００３０】
帯域占有率算出部１１４は、帯域Ｗ中の所望波が存在する比率を算出する。つまり帯域占有率算出部１１４は、キャリア数個のサンプリング点のうち、いくつのサンプリング点が所定の閾値以上となるかを算出する。ここで算出される比率は、図４（ａ）を参照するとＷｅ／Ｗとなる。
一方、振幅情報検知部２０１は、キャリア数個のサンプリング点の振幅値のうち、その平均値よりも低い振幅値を有するサンプリング点を検知する。そして、比算出部２０２は、所望波中の妨害波の比率、つまり、振幅情報検知部２０１が検知したサンプリング点の数の、キャリア数個のサンプリング点の振幅値のうち、所定の閾値以上の信号を有するサンプリング点に対する比率（｛（Ｗｅ−Ｗｂ）×Ｈｅ＋Ｗｂ×Ｈｂ｝／（Ｗｅ×Ｈｅ））を算出して出力する。
【００３１】
乗算器２０３は、帯域占有率算出部１１４から出力された比率と、比算出部２０２から出力された比率とを掛け合わせた値（｛（Ｗｅ−Ｗｂ）×Ｈｅ＋Ｗｂ×Ｈｂ｝／（Ｗ×Ｈｅ））を出力する。
逆数算出部１１５は、乗算器２０３から出力された値の逆数をとり、算出した逆数（（Ｗ×Ｈｅ）／｛（Ｗｅ−Ｗｂ）×Ｈｅ＋Ｗｂ×Ｈｂ｝）を乗算器１１６に出力する。
【００３２】
乗算器１１６は、合計値算出部１１２から出力された合計値（（Ｗｅ−Ｗｂ）×Ｈｅ＋Ｗｂ×Ｈｂ）に逆数算出部１１５から出力された逆数をかけた値（Ｗ×Ｈｅ）をゲイン設定部１１７に出力する。
ゲイン設定部１１７は、増幅器１０１に、ターゲットレベルＬを、乗算器１１６から出力された値（Ｗ×Ｈｅ）を受信帯域Ｗで除した値（Ｈｅ）で除した値（Ｌ／Ｈｅ）をゲインとして設定する。
【００３３】
これにより、無線基地局１００は、ターゲットレベルに達しておらず、全受信帯域Ｗ中すべてに所望波がのっていない図４（ａ）に示すような信号を受信した場合であっても、図４（ｃ）に示すように適切なターゲットレベルに信号レベルを増幅できる。
＜考察＞
ここで上記実施の形態２に示した方法を用いてのゲイン調整が正しくなされていることを図４を用いて説明する。
【００３４】
まず、従来どおり、あるいは特許文献１に示された方法でゲインＧｈを算出した場合には、Ｇｈ＝（Ｌ×Ｗ）／｛（Ｗｅ−Ｗｂ）×Ｈｅ＋Ｗｂ×Ｈｂ｝となる。これをＨｅにかけると、ゲインをかけた後のレベルをＨｆとすると、Ｈｆ＝Ｈｅ×Ｇｈ。ここで、Ｈｂがかなり大きい値であった場合には、ゲインは正しく設定されることになるのだが、そのような大きな妨害波が電波に乗るような環境ではそもそもまともな通信などできないので、ありえない。
【００３５】
すると、上記実施の形態１に示したほどではないものの、ゲインはやはりオーバーレンジとなり、図４（ｂ）に示すようにゲインＧｈをかけるとターゲットレベルを超えてしまう。
しかし、本発明の場合では、受信帯域Ｗ中の所望波の比率ＲＩＡ＝Ｗｅ／Ｗを帯域占有率算出部１１３が算出する。そして、所望波と妨害波を含む信号中の所望波の比率ＲＩＢ＝｛（Ｗｅ−Ｗｂ）×Ｈｅ＋Ｗｂ×Ｈｂ｝／（Ｗｅ×Ｈｅ）を比算出部２０２が算出する。乗算器２０３により、ＲＩＡとＲＩＢとが掛け合わされて、ＲＩ＝｛（Ｗｅ−Ｗｂ）×Ｈｅ＋Ｗｂ×Ｈｂ｝／（Ｗ×Ｈｅ）を得る。そして、ターゲットレベルＬを、このＲＩの逆数を所望波の平均値にかけた値で除した値が本実施の形態２におけるゲインＧｉとなる。
【００３６】
Ｇｉ＝Ｌ／〔｛（Ｗｅ−Ｗｂ）×Ｈｅ＋Ｗｂ×Ｈｂ｝×（Ｗ×Ｈｅ）／Ｗ〕／ＲＩ＝（Ｌ×Ｗ）／｛（Ｗｅ−Ｗｂ）×Ｈｅ＋Ｗｂ×Ｈｂ｝×（Ｗ×Ｈｅ）／｛（Ｗｅ−Ｗｂ）×Ｈｅ＋Ｗｂ×Ｈｂ｝＝Ｌ／Ｈｅを得る。
よって、所望波のレベルＨｅにゲインＧｉをかけた場合のレベルをＨｊとすると、Ｈｊ＝Ｈｅ×Ｌ／Ｈｅ＝Ｌとなり、ターゲットレベルになることが分かる。
＜補足＞
上記実施形態において、本発明の実施の手法について説明してきたが、本発明の実施形態がこれに限られないことは勿論である。以下、上記実施形態以外に本発明の思想として含まれる各種の変形例について説明する。
（１）上記実施の形態においては、受信帯域Ｗを１０ＭＨｚ、サンプリング点の数を１０２４個と例示したが、これは、通信方式の仕様によって変更されてもよく、例えば受信帯域を２０ＭＨｚ、サンプリング点を２０４８個としてもよい。
（２）上記実施の形態では、振幅値算出部１１２は、ＦＦＴをかけられる前の信号の振幅を算出していたが、これは、ＦＦＴをかけられた後の周波数軸信号で振幅を算出することとしてもよい。 
（３）上記実施の形態２では、妨害波がある状態で所望波がある比率を算出するために、振幅情報検知部２０１は、受信信号の平均値以下となる信号を検出したが、これは平均値でなく、予め定めてある特定の閾値であってもよい。この特定の閾値は、実施の形態２における所望波の受信レベルＨｅよりも高く設定する必要がある。当該特定の閾値は、無線基地局において受信する信号の受信レベルを実際に検出して適切な値を設定する。
（４）上記実施の形態で示したゲイン制御に係る動作を無線基地局のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【産業上の利用可能性】
【００３７】
本発明に係る無線基地局は、所望の受信帯域の全域において所望波がある部分とない部分がある信号を受信したとしても、ゲインを正しく設定することができる無線基地局として活用することができる。
【図面の簡単な説明】
【００３８】
【図１】実施の形態１に係る無線基地局の機能構成を示した機能ブロック図である。
【図２】（ａ）は、ゲイン調整前の信号を示しており、（ｂ）は、実施の形態１に示した手法により算出されたゲインで調整を行った後の信号を示している。
【図３】実施の形態２に係る無線基地局の機能構成を示した機能ブロック図である。
【図４】（ａ）は、ゲイン調整前の信号を示しており、（ｂ）は、特許文献１に示した手法を用いてゲイン調整を行った後の信号を示しており、（ｃ）は、実施の形態２に示した手法により算出されたゲインで調整を行った後の信号を示している。
【図５】従来におけるゲイン調整を説明するための図であり、（ａ）は、受信した信号の概念図であり、（ｂ）は、従来の方式に従ったゲイン調整を行った後の信号の概念図であり、（ｃ）は、特許文献１に示された手法を用いてのゲイン調整を行った後の信号の概念図である。
【図６】従来におけるゲイン調整の問題点を説明するための図であり、（ａ）は、受信したゲイン調整前の信号の概念図であり、（ｂ）は、従来の方式に従ったゲイン調整を行った後の信号の概念図であり、（ｃ）は、特許文献１の方式に従ったゲイン調整を行った後の信号の概念図である。
【符号の説明】
【００３９】
１００  無線基地局
１０１  増幅器
１０２  ＡＤＣ
１０３  直交復調部
１０４  ＦＩＬ
１０５  ＦＦＴ
１１０  ゲイン調整部
１１１  振幅値算出部
１１２  合計値算出部
１１３  帯域抽出部
１１４  帯域占有率算出部
１１５  逆数算出部
１１６  乗算器
１１７  ゲイン設定部
【図１】
2010034929.tif 000003
【図２】
2010034929.tif 000004
【図３】
2010034929.tif 000005
【図４】
2010034929.tif 000006
【図５】
2010034929.tif 000007
【図６】
2010034929.tif 000008